(57)【要約】【課題】電源（３０）及びその中のダブル充電機能付きバッテリモジュール（１０，２０）を提供すること。【解決手段】電源（３０）は、座体（３１）及び少なくとも１つのダブル充電機能付きバッテリモジュール（１０，２０）を含む。ダブル充電機能付きバッテリモジュール（１０，２０）は、本体（１１，２１）を含む。本体（１１，２１）は、エネルギーストレージ装置（１２）と、第１の充電端子群（１３１）及び第１の電力出力端子群（１３２）を含む第１の接続装置（１３）と、第２の充電端子群（１４１）を含む第２の接続装置（１４）とを含む。エネルギーストレージ装置（１２）は、第１の電力（Ｐ１）及び第２の電力（Ｐ２）を第１の充電端子群（１３１）及び第２の充電端子群（１４１）からそれぞれ受け、第１の電力出力端子群（１３２）を通して第３の電力（Ｐ３）を出力する。第１の電力（Ｐ１）は、第２の電力（Ｐ２）とは異なる。【選択図】図１Ａ
2012523650.tif 000002
【特許請求の範囲】
【請求項１】
電気エネルギーストレージ装置と、第１の接続装置と、第２の接続装置とを有する本体を備える二重充電可能なバッテリパックであって、
前記第１の接続装置は、前記電気エネルギーストレージ装置に対して出力するための第１の電力の入力を受けるように構成される第１の充電端子組及び第１の電力出力端子組を備え、
前記第２の接続装置は、前記電気エネルギーストレージ装置に対して出力するための第２の電力の入力を受けるように構成された第２の充電端子組を備え、
前記電気エネルギーストレージ装置は、そこに蓄積された電気エネルギーを第３の電力として前記第１の電力出力端子組によって出力するように構成され、前記第２の電力が前記第１の電力とは異なることを特徴とする二重充電可能なバッテリパック。
【請求項２】
前記第１の電力及び前記第２の電力の少なくとも一方が、ＡＣ電力であり、前記二重充電可能なバッテリパックが、前記ＡＣ電力をＤＣ電力に変換するためのＡＣ−ＤＣ電力変換装置をさらに備える請求項１の二重充電可能なバッテリパック。
【請求項３】
前記第１の接続装置及び前記第２の接続装置は、前記本体に固定され、前記本体から露出する請求項１の二重充電可能なバッテリパック。
【請求項４】
前記第１の電力出力端子組は、第３の電力を携帯装置に出力する請求項１の二重充電可能なバッテリパック。
【請求項５】
前記二重充電可能なバッテリパックは、ノートパソコン、ミニコンピュータ、携帯電話、デジタルカメラ、ＰＤＡ、携帯型ビデオゲーム、ウォークマン（登録商標）、ＧＰＳナビゲータ、デジタル装置、アナログ装置及び電源からなる群から選択される請求項４の二重充電可能なバッテリパック。
【請求項６】
前記携帯装置は、第４の電力を前記第１の電力に変換し、前記二重充電可能なバッテリパックは、前記携帯装置によって入力された前記第１の電力を受ける前記第１の充電端子組を用い、前記本体は、前記携帯装置と互いに通信するための第１の制御部をさらに備える請求項５の二重充電可能なバッテリパック。
【請求項７】
前記本体は、所定の飽和した電位エネルギーを有する前記電気エネルギーストレージ装置に前記第１の電力及び前記第２の電力の入力を出力する場合に調節するための入力調節装置をさらに備え、前記電気エネルギーストレージ装置に蓄積された電位エネルギーが前記所定の飽和電位エネルギーよりも低い場合、前記入力調節装置によって前記第１の電力及び前記第２の電力が、前記電気エネルギーストレージ装置に同時に入ることができるようになり、前記電気エネルギーストレージ装置に蓄積された電位エネルギーが、前記所定の飽和電位エネルギーに達する場合、前記入力調節装置は、前記第１の電力及び前記第２の電力の入力が前記電気エネルギーストレージ装置へ入ることを阻止する請求項１の二重充電可能なバッテリパック。
【請求項８】
前記入力調節装置は、前記電気エネルギーストレージ装置に蓄積された電位が前記第１の電力又は前記第２の電力の電位より大きい場合に、前記電気エネルギーストレージ装置に蓄積された電位エネルギーが、前記第１の充電端子組又は前記第２の充電端子組に向かって逆流することを防止する逆電流保護装置をさらに備える請求項７の二重充電可能なバッテリパック。
【請求項９】
前記入力調節装置は、前記第１の電力と前記第２の電力との間に電位差が存在する場合、電気が前記第１の電力及び前記第２の電力のどちらか一方の高い電位から低い電位へ流れることを防止する逆電流保護部をさらに備え請求項７の二重充電可能なバッテリパック。
【請求項１０】
ベースと少なくとも１つの二重充電可能なバッテリパックを備える電源であって、
前記二重充電可能なバッテリパックは、電気エネルギーストレージ装置と、第１の接続装置と、第２の接続装置とを含む本体を備え、
前記第１の接続装置は、前記電気エネルギーストレージ装置に対して出力するための第１の電力の入力を受けるように構成される第１の充電端子組及び第１の電力出力端子組を備え、
前記第２の接続装置は、前記電気エネルギーストレージ装置に対して出力するための第２の電力の入力を受けるように構成された第２の充電端子組を備え、
前記電気エネルギーストレージ装置は、そこに蓄積された電気エネルギーを第３の電力として前記第１の電力出力端子組によって出力するように構成され、前記第２の電力が前記第１の電力とは異なり、
前記ベースは、前記第１の接続装置と接続され前記第１の電力出力端子組によって出力された前記第３の電力を受けるように構成される第３の接続装置及び、第４の接続装置を備えると共に、前記第３の電力を、様々な電位を有し前記第４の接続装置を通して出力される第５の電力に調節するための出力電圧調節装置をさらに備えることを特徴とする電源。
【発明の詳細な説明】
【技術分野】
【０００１】
本発明は、電源及びその中のバッテリパックに関する。特に、本発明は、電源及び充電能力を有するバッテリパックに関する。
【背景技術】
【０００２】
バッテリは、ＭＰ３、ＰＤＡ、ノートパソコン、電子ポケット翻訳機、デジタルカメラ等の様々な最新の携帯型電子製品にとって不可欠なものである。様々なバッテリの中で、その再充電能力によって二次電池は、経済的な利点を有し環境にやさしいものとして認識されてきたので、幅広い用途において益々適用されている。
【０００３】
二次電池の充電は通常、二次電池を充電するためにグリッド供給電力を所定の電圧レベルを有する充電用電源に変換するための変圧器を実装するバッテリチャージャを用いて行わなければならない。しかしながら、この手法は、充電用電源に屋外で都合よくアクセスすることが難しいという、この手法特有の欠点を有する。この欠点により、バッテリチャージャの効率が著しく弱められ、電力供給がその欠点に依存するため、ユーザにとっては不都合である。
【発明の概要】
【発明が解決しようとする課題】
【０００４】
一方、再生不可能な資源の放電により、電気は、益々不足し費用がかかるようになってしまう。これにより、無尽蔵のグリーンエネルギー資源の利用及び応用の開発が推進される。さらに、ＭＰ３、ＰＤＡ、ｉＰｏｄ（登録商標）及びｉＰｈｏｎｅ（登録商標）等のような携帯型デジタル装置は、持ち運べる電力を用いて再供給することができる。そのため、課題は、グリッド供給電力のない場所においても制限なく、電力をシンプルな携帯型バッテリ（例えば、ノートパソコン用のもの）で携帯型電子製品に確実に供給する方法について取り組むことである。
【課題を解決するための手段】
【０００５】
先行技術の欠点に鑑み、本発明は、電源及びその中の二重充電可能なバッテリパックを提供するものである。二重充電可能なバッテリパックは、電気エネルギーストレージ装置と、第１の接続装置と、第２の接続装置とを含む本体を主に備える。前記第１の接続装置は、第１の充電端子組及び第１の電源出力端子組を備える。前記第１の充電端子組は、前記電気エネルギーストレージ装置に出力するための第１の電力の入力を受けるように構成される。前記第２の接続装置は、前記電気エネルギーストレージ装置に出力するための第２の電力の入力を受けるように構成される第２の充電端子組を備える。前記電気エネルギーストレージ装置は、そこに蓄積された電気エネルギーを第３の電力として前記第１の電力出力端子組を通して出力するように構成される。前記第２の電力は、前記第１の電力とは異なる。
【０００６】
そのため、本発明の第１の目的は、電源及びその中の二重充電可能なバッテリパックを提供することであり、当該二重充電可能なバッテリパックは、第１の電力の入力を受けるように構成された第１の接続装置と、第２の電力の入力を受けるように構成された第２の接続装置を有することで、当該二重充電可能なバッテリパックが、充電し電力を当該二重充電可能なバッテリパックに蓄えるための２つの異なる種類の電力を受けられるようになるので、当該二重充電可能なバッテリパックの充電が効率的となる。
【０００７】
本発明の第２の目的は、電源及びその中の二重充電可能なバッテリパックを提供することであり、当該二重充電可能なバッテリパックは、第１の電力の入力を受けるように構成された第１の接続装置と、第２の電力の入力を受けるように構成された第２の接続装置を有するとともに、２つの異なる種類の電力入力を電気エネルギーストレージ装置に出力する前に調節する入力調節装置を採用するため、前記電気エネルギーストレージ装置が、前記２つの異なる種類の電力入力をロードすることによって飽和した蓄積電位を有することから効果的に守られる。
【０００８】
本発明のさらに他の目的は、電源及びその中の二重充電可能なバッテリパックを提供することであり、当該二重充電可能なバッテリパックは、第１の電力の入力を受けるように構成された第１の接続装置と、第２の電力の入力を受けるように構成された第２の接続装置を有するとともに、２つの異なる種類の電力入力を電気エネルギーストレージ装置に出力する前に調節する、逆電流保護装置をさらに有する入力調節装置を採用するため、前記電気エネルギーストレージ装置が、前記第１の電力又は前記第２の電力の電位よりも高い蓄積電位を有する場合、前記電気エネルギーストレージ装置の前記蓄積電位エネルギーが逆方向に流れることを効果的に防止することができる。
【０００９】
本発明のさらに他の目的は、電源を提供することであり、当該電源中に含まれた二重充電可能なバッテリパックは、第１の電力の入力及び第２の電力の入力を受けるように構成されており、前記第１の電力及び前記第２の電力からの入力を調節することで、第３の電力を携帯装置に対して出力し供給することができる。
本発明及び好適な使用形態及びその利点は、以下の例示的実施形態の詳細な説明を添付図と共に参照することで最もよく理解される。
【図面の簡単な説明】
【００１０】
【図１Ａ】図１Ａは、本発明の第１の好適な実施形態に係る二重充電可能なバッテリパックの回路ブロック図である。
【図１Ｂ】図１Ｂは、本発明の第１の好適な実施形態に係る二重充電可能なバッテリパックの回路ブロック図である。
【図１Ｃ】図１Ｃは、本発明の第１の好適な実施形態に係る二重充電可能なバッテリパックの本体の回路ブロック図である。
【図１Ｄ】図１Ｄは、本発明の第１の好適な実施形態に係る、電位調節装置がさらに設けられた二重充電可能なバッテリパックの本体の回路ブロック図である。
【図２Ａ】図２Ａは、本発明の第２の好適な実施形態に係る電源の回路ブロック図である。
【図２Ｂ】図２Ｂは、本発明の第２の好適な実施形態に係る電源のベースの回路ブロック図である。
【図２Ｃ】図２Ｃは、本発明の第２の好適な実施形態に係る電源の二重充電可能なバッテリパックの回路ブロック図である。
【発明を実施するための形態】
【００１１】
本発明は、電源及びその中の充電可能なバッテリパックを開示するが、本明細書において実施されたバッテリの充電／放電の原理は、当業者によって理解されてきたものであるため、本明細書においてその詳細は説明しないものとする。一方、添付の図面は、本発明の構造的な特徴を概略的に説明するためのものであり、縮尺通りではない。
【００１２】
二重充電可能なバッテリパック１０について図１Ａを参照すると、本発明の第１の好適な実施形態に係る二重充電可能なバッテリパック１０は、電気エネルギーストレージ装置１２と、第１の接続装置１３と、第２の接続装置１４とを含む本体１１を主に有する。第１の接続装置１３及び第２の接続装置１４は、本体１１に固定され、本体１１から露出する。第１の接続装置１３は、少なくとも第１の充電端子組１３１と、第１の電力出力端子組１３２と、第１の信号端子組１３３と、を有する。第１の充電端子組１３１は、第１の電力Ｐ１の入力を受けるように構成され、第１の電力Ｐ１を電気エネルギーストレージ装置１２に出力する。本実施形態において、電気エネルギーストレージ装置１２は、電気エネルギーを溜めるために直列に接続された４つの電池によって実現される。実用的用途では、電池の数及び接続方法は、必要に応じて異なっていてもよい。特に、電気エネルギーストレージ装置１２は、１、２、３、４又は、直列接続、並列接続もしくは直並列接続した４よりも多い電池から構成されてもよい。第２の接続装置１４は、第２の電力Ｐ２の入力を受けるように構成され、第２の電力Ｐ２を電気エネルギーストレージ装置１２に出力する第２の充電端子組１４１を有する。それにより、電気エネルギーストレージ装置１２は、第１の電力Ｐ１及び第２の電力Ｐ２からの電気を蓄積することができ、第１の電力Ｐ１及び第２の電力Ｐ２からの蓄積電気エネルギーを第３の電力Ｐ３として第１の電力出力端子組１３２を通して出力する。第１の電力Ｐ１及び第２の電力Ｐ２は互いに異なる。２つの異なる電力の入力を受けることにより、二重充電可能なバッテリパック１０の充電が効率的となる。
【００１３】
さらに、第２の電力Ｐ２は、グリーン電源又は光変換バッテリからのものであってもよい。あるいは、第２の電力Ｐ２を、燃料電池、風力発電機、スイングに基づく発電機又は振動に基づく発電機によって発生させてもよい。よって、ユーザが、変圧器によって所定の電圧を有する充電電源に変換するために利用可能なグリッド電源がない場所にいる場合、第２の電力Ｐ２が、外部の電子製品用の電源としての役割を果たすことができる。第１の電力出力端子組１３２が電気エネルギーストレージ装置１２に蓄積された電気エネルギーを第３の電力Ｐ３として出力する場合、第３の電力Ｐ３を、直接携帯装置１６に対して直接供給することができる。ここで、携帯装置１６は、デジタル又はアナログの電子製品であってもよく、ノートパソコン、ネットブックコンピュータ、携帯電話、デジタルカメラ、ビデオカメラ、携帯型ビデオゲーム、ウォークマン（登録商標）、ＰＤＡ又はＧＰＳナビゲータ又は、電源等であるが、それらに限定されるものではない。本体１１の第１の電力出力端子組１３２を通して、出力された第３の電力Ｐ３が、携帯装置１６に電力を供給することができる。
【００１４】
図１Ｂを参照すると、上記の実施形態において携帯装置１６が電源である場合、携帯装置１６を本体１１の第１の接続装置１３の第１の充電端子組１３１に接続することによって、携帯装置１６によって提供されて本体１１が要求する第１の電力Ｐ１としての役割を果たす第４の電力Ｐ４を、本体１１に直接入力することができる。さらに、本体１１の第１の充電端子組１３１を通して、第１の電力Ｐ１を電気エネルギーストレージ装置１２に出力することができる。また、第１の制御部１７（バッテリ制御部としても公知である）が、携帯装置１６との間で、双方向バス１７１及びその間に接続された第１の接続装置１３の第１の信号端子組１３３を用いて、信号又はデータを伝送するために本体１１内部に設けられる。さらに、第１の制御部１７は、電気エネルギーストレージ装置１２内の４つの電池の間の電力バランスを実現するためのバッテリバランス部を用いてもよい。さらに、センスレジスタＲsenseが、電気エネルギーストレージ装置１２内の電池の充電／放電を検出するために、第１の制御部１７と並列で接続される。
【００１５】
上述した実施形態では、第１の電力Ｐ１及び第２の電力Ｐ２は、ＤＣ電力又はＡＣ電力であってもよく、あるいは、第１の電力Ｐ１及び第２の電力Ｐ２のどちらか一方がそれぞれＤＣ電力及びＡＣ電力であってもよい。図１Ｃを参照すると、二重充電可能なバッテリパック１０は、少なくとも１つのＡＣ−ＤＣ電力変換装置１５をさらに有するので、第１の電力Ｐ１及び第２の電力Ｐ２のどちらか一方又は両方が、ＡＣ電力である場合、ＡＣ−ＤＣ電力変換装置１５が、ＡＣ電力を、電気エネルギーストレージ装置１２が許容できるＤＣ電力に変換するのに役立つ。さらに、入力調節装置１８が、電気エネルギーストレージ装置１２に対して出力された第１の電力Ｐ１及び第２の電力Ｐ２を調節するために本体１１内にさらに設けられるため、電気エネルギーストレージ装置１２は、第１の電力Ｐ１及び第２の電力Ｐ２を安定して受けることができ、それにより、電気エネルギーストレージ装置１２が、２つの異なる種類の電力入力をロードすることによって飽和した蓄積電位を有することから守られる。
【００１６】
さらに、図１Ｃを参照すると、電気エネルギーストレージ装置１２は、所定の飽和電位エネルギーＶ１をさらに有してもよい。電気エネルギーストレージ装置１２の蓄積電位エネルギーが、所定の飽和電位エネルギーＶ１よりも低い場合、入力調節装置１８によって第１の電力Ｐ１及び第２の電力Ｐ２が同時に電気エネルギーストレージ装置１２に入ることができるようになる。一方、電気エネルギーストレージ装置１２が所定の飽和電位エネルギーＶ１に達する蓄積電位エネルギーを有する場合、入力調節装置１８は、第１の電力Ｐ１及び第２の電力Ｐ２が電気エネルギーストレージ装置１２に入ることを阻止する。また、入力調節装置１８は、逆電流保護部１８１をさらに有する。電気エネルギーストレージ装置１２の蓄積電位が第１の電力Ｐ１又は第２の電力Ｐ２の電位よりも高い場合、逆電流保護部１８１は、電気エネルギーストレージ装置１２の蓄積電位エネルギーが、第１の充電端子組１３１又は第２の充電端子組１４１に向かって逆流することを防止して、電気エネルギーストレージ装置１２の蓄積電位エネルギーの逆電流を効果的に取り除くのに役立つ。また、第１の電力Ｐ１及び第２の電力Ｐ２の間に電位差が存在する場合、逆電流保護部１８１を起動化させて、電気が、第１の電力Ｐ１及び第２の電力Ｐ２のどちらか一方の高電位から低電位に流れることを防止することができる。さらに、図１Ｄを参照すると、本体１１は、第２の接続装置１４の第２の充電端子組１４１と入力調節装置１８との間に位置する電位調節装置１９を備える。電位調節装置１９は、第２の接続装置１４の第２の充電端子組１４１から入力された第２の電力Ｐ２の電位を適切に調節するために、電位調節部１９１と入力保護部１９２を含む。
【００１７】
本発明の第２の好適な実施形態に係る電源３０について図２Ａを参照されたい。電源３０は、ベース３１と二重充電可能なバッテリパック２０を主に有する。二重充電可能なバッテリパック２０は、本体２１を主に有する。本体２１は、第１の接続装置１３及び第２の接続装置１４を含む。ベース３１は、第３の接続装置３３と第４の接続装置３４を有する。第３の接続装置３３及び第１の接続装置１３によって、ベース３１は、二重充電可能なバッテリパック２０の本体２１に接続される。本体２１の第１の接続装置１３及び第２の接続装置１４は、第１の好適な実施形態に説明した対応物と同様のものである。本体２１は、電気エネルギーストレージ装置１２と、ＡＣ−ＤＣ電力変換装置１５と、第１の制御部１７と、入力調節装置１８とをさらに有する。
【００１８】
さらに、第１の接続装置１３は、第１の充電端子組１３１と、第１の信号端子組１３３と、第１の電力出力端子組１３２とを有する。第１の充電端子組１３１は、第１の電力Ｐ１の入力を受けるように構成され、第１の電力Ｐ１を電気エネルギーストレージ装置１２に出力する。第２の接続装置１４は、第２の電力Ｐ２の入力を受けるように構成され、第２の電力Ｐ２を電気エネルギーストレージ装置１２に出力する第２の充電端子組１４１を有する。それによって、電気エネルギーストレージ装置１２は、そこに蓄積された第１の電力Ｐ１及び第２の電力Ｐ２からの電気エネルギーを第３の電力Ｐ３として、第１の電力出力端子組１３２を通して出力できるようになる。第１の電力Ｐ１及び第２の電力Ｐ２は互いに異なる。なお、第２の電力Ｐ２は、第１の電力と異なり、グリーンエネルギー資源、すなわち、光交換バッテリ、燃料電池、風力発電機、スイングに基づく発電機又は、振動に基づく発電機等からの電力であってもよい。さらに、二重充電可能なバッテリパック２０は、第１の接続装置１３の第１の電力出力端子組１３２を通して第３の電力Ｐ３を出力する。
【００１９】
図２Ｂに見られるように、上述した実施形態では、ベース３１は、二重充電可能なバッテリパック２０からの第３の電力を、ベース３１の第４の接続装置３４の第４の電力出力端子３４２から出力される第５の電力Ｐ５へ調節するための出力電圧調節装置３２をさらに有する。第５の電力Ｐ５の出力電圧は、５Ｖ，６Ｖ，９Ｖ，１２Ｖ，１４．４Ｖ又は１４．４Ｖよりも大きくてもよい可変電圧であり、異なる電力要件を有する電子製品に電力を供給する。さらに、ベース３１は、調節された第５の電力Ｐ５の電位をユーザに知らせるための指示装置３６をさらに有する。さらに、ベース３１は、第５の接続装置３５を追加的に有する。第５の接続装置３５は、第４の電力Ｐ４（１６Ｖ〜１９Ｖ）の入力を受けるための第５の充電端子組３５１を有し、出力電圧調節装置３２は、第４の電力Ｐ４を第１の電力Ｐ１に変換する。そして、第１の電力Ｐ１を、第５の接続装置３５の第５の電力出力端子組３５２を通して二重充電可能なバッテリパック２０に出力する。さらに、ベース３１は、第４の電力Ｐ４及び第３の電力Ｐ３を適切に調節して、電源３０を不安定な電力入力による障害から効果的に保護するための回路保護装置３７を有する。
【００２０】
図２Ｂ及び図２Ｃを参照されたい。上述した実施形態では、ベース３１は、マイクロプロセッサ３８をさらに有する。第３の接続装置３３の第３の信号端子組３３３と、二重充電可能なバッテリパック２０の本体２１の第１の接続装置１３の第１の信号端子組１３３との間の接続によって、ベース３１のマイクロプロセッサ３８は、二重充電可能なバッテリパック２０の第１の制御部１７と互いに通信することが可能となり、マイクロプロセッサ３８は、出力電圧調節装置３２とも互いに通信可能となる。また、第５の電力Ｐ５は、ＤＣ電力であり、二重充電可能なバッテリパック２０の第１の電力Ｐ１及び第２の電力Ｐ２の両方は、ＤＣ電力であってもＡＣ電力であってもよく、そのどちらか一方がそれぞれＡＣ電力及びＤＣ電力であってもよい。
【００２１】
さらに、図２Ｃを参照すると、二重充電可能なバッテリパック２０の第１の制御部１７は、電気エネルギーストレージ装置１２、ＡＣ−ＤＣ電力変換装置１５及び、その周辺の入力調節装置１８と互いに通信するように構成されてもよい。ＡＣ−ＤＣ電力変換装置１５は、入ってくるＡＣ電力を電気エネルギーストレージ装置１２が許容可能なＤＣ電力に変換するように構成される。さらに、二重充電可能なバッテリパック２０は、入力調節装置１８を用いて電力入力を調節してから調節された電力入力を電気エネルギーストレージ装置１２に溜める。二重充電可能なバッテリパック２０は、第１の好適な実施形態に説明した対応物と類似した電気エネルギーストレージ装置１２、ＡＣ−ＤＣ電力変換装置１５及び入力調節装置１８を有する。
【００２２】
上述した実施形態は、当業者が本明細書に開示された内容を理解し実施できるように、本発明の技術的概念及び特徴を単に説明することを意図したものである。開示された実施形態は、本発明の範囲を制限するものでないことが分かる。よって、本発明の概念に基づく同等の変更又は訂正の全ては、添付した請求項によって包含されるものである。
【符号の説明】
【００２３】
１０  二重充電可能なバッテリパック
１１  本体
１２  電気エネルギーストレージ装置
１３  第１の接続装置
１３１  第１の充電端子組
１３２  第１の電力出力端子組
１３３  第１の信号端子組
１４  第２の接続装置
１４１  第２の充電端子組
１６  携帯装置
１７  第１の制御部
１８  入力調節装置
１９  電位調節装置
【図１Ａ】
2012523650.tif 000003
【図１Ｂ】
2012523650.tif 000004
【図１Ｃ】
2012523650.tif 000005
【図１Ｄ】
2012523650.tif 000006
【図２Ａ】
2012523650.tif 000007
【図２Ｂ】
2012523650.tif 000008
【図２Ｃ】
2012523650.tif 000009
【手続補正書】
【提出日】平成23年10月11日(2011.10.11)
【手続補正２】
【補正対象書類名】明細書
【補正対象項目名】００２３
【補正方法】変更
【補正の内容】
【００２３】
１０  二重充電可能なバッテリパック
１１  本体
１２  電気エネルギーストレージ装置
１３  第１の接続装置
１３１  第１の充電端子組
１３２  第１の電力出力端子組
１３３  第１の信号端子組
１４  第２の接続装置
１４１  第２の充電端子組
１５  ＡＣ−ＤＣ電力変換装置
１６  携帯装置
１７  第１の制御部
１８  入力調節装置
１８１  逆電流保護部
１９  電位調節装置
１９１  電位調節部
１９２  入力保護部
２０  二重充電可能なバッテリパック
２１  本体
３０  電源
３１  ベース
３２  出力電圧調節装置
３３  第３の接続装置
３３１  第３の充電端子組
３３３  第３の信号端子組
３４  第４の接続装置
３４２  第４の出力端子組
３５  第５の接続装置
３５１  第５の充電端子組
３５２  第５の電力出力端子組
３６  指示装置
３７  回路保護装置
３８  マイクロプロセッサ
【手続補正３】
【補正対象書類名】図面
【補正対象項目名】全図
【補正方法】変更
【補正の内容】
【図１Ａ】
2012523650.tif 000010
【図１Ｂ】
2012523650.tif 000011
【図１Ｃ】
2012523650.tif 000012
【図１Ｄ】
2012523650.tif 000013
【図２Ａ】
2012523650.tif 000014
【図２Ｂ】
2012523650.tif 000015
【図２Ｃ】
2012523650.tif 000016
【国際調査報告】
2012523650.tif 000017
2012523650.tif 000018
2012523650.tif 000019
2012523650.tif 000020